(57)【特許請求の範囲】
【請求項１】
建物にボルト等の取付具を介して離隔させて取り付けられる複数の取付台と、少なくとも安定器等、光源への給電部品を具備して同取付台へ着脱自在となるよう固定される給電部品台と、同給電部品台を覆うとともに前記取付台へ着脱自在となるよう固定される、光源からの光を反射させ照明する反射部材とを備えた照明器具において、前記給電部品台に小開口等の逃げ部を設け、同給電部品台の固定された取付台を、その逃げ部からナット等の取付具を露出させて建物に取り付けるようになし、前記取付台は、前記取付具の挿通孔周囲に突出部を有し、同突出部が前記逃げ部に挿入可能となるようその基端形状を略対応させて、同逃げ部に突出部を挿入させることで離間される複数の取付台が相互に位置決め固定されるように成したことを特徴とする照明器具。
【請求項２】
前記給電部品台に光源ランプ用ソケットを具備させ、前記反射部材にてその光源ランプ用ソケットが露出するように給電部品台を覆った請求項１記載の照明器具。
【請求項３】
前記反射部材に、光源ランプ用ソケットを反射部材から露出するよう装着させた請求項１記載の照明器具。
【請求項４】
前記給電部品台及び／又は反射部材を、ドライバ等の工具に依らず手動固定可能な固定具を介して取付台へ固定させる請求項１乃至３のいずれか一つの請求項に記載の照明器具。
【請求項５】
前記取付台及び前記給電部品台にそれぞれ貫通孔を穿設するとともに、前記固定具を、その貫通孔に挿通されてその相互を接合させる接合部を具備したラッチとし、該取付台、給電部品台それぞれの貫通孔にその接合部を挿通させラッチを挿入方向軸回りに回動させることにて取付台へ固定される請求項４記載の照明器具。
【発明の詳細な説明】
【０００１】
【発明の属する技術分野】
本発明は、建物に取り付けて使用される照明器具に関するものである。
【０００２】
【従来の技術】
従来から、建物に取り付けて使用される照明器具として、図１５に示す分解斜視図の如く、例えば吊り天井と呼ばれている、天井面が建物の躯体天面に懸架される板状の天井材にて形成された天井に設置されるものがある。この照明器具１００は、上記天井材の背面側となる天井裏に建物側から垂下された設置ボルト１１を介して天井面に固定される本体１０１と、光源からの光を反射させ照明する反射部材の反射板１０６とを有している。本体１０１は、その両端部にそれぞれ光源ランプ用ソケット１０２、１０２が設けられるとともに長尺状で上記設置ボルト１１を貫挿させる設置孔を有し、その略中央付近に点灯装置となる安定器１０３、あるいは端子台１０４が設けられている。この本体１０１は、両端部に天井面に形成された取付開口との位置決め用のフレーム１０５、１０５が設けられて構成されており、また、安定器１０３や端子台１０４は本体１０１にねじ固定されている。
【０００３】
反射板１０６は、略有底箱状で、その底板に穿設された貫通孔にツマミネジ１０７を挿通させ、上記フレーム１０５に刻設された雌ネジにそのツマミネジ１０７が螺着され、ツマミネジ１０７を介して本体１０１に着脱自在に固定されている。したがって、上記照明器具１００を建物の天井面に設置する場合、まず、本体１０１を建物側から垂下された設置ボルト１１を介して天井面に取り付け、次いで、反射板１０６をツマミネジ１０７を用いてフレーム１０５に取り付け設置できる。
【０００４】
また、図１６に示す、実開平６−２５１４として開示されている照明器具２００がある。この照明器具２００は、建物にボルト等の取付具を介して離隔させて取り付けられる２つの取付台２０１、２０１と、安定器２０３、端子台２０４、光源ランプ用ソケット２０５らを具備した、本体部分を一体化させた反射板２０２とを備えている。
【０００５】
取付台２０１には、天井裏に建物側から垂下された設置ボルト１１を貫挿させる設置孔、及び反射板２０２に設けられている取付バネ２０６を係止させる係止部がそれぞれに設けられている。反射板２０２には、所定間隔にて取り付けられる取付台２０１の係止部と対応する位置に取付バネ２０６が設けられている。したがって、上記照明器具２００を建物の天井面に設置する場合、まず、取付台２０１、２０１を天井面に設置ボルト１１、１１を用いて取り付け、次いで、取付バネ２０６を用いて反射板２０２を取付台２０１、２０１に容易に取り付けることができる。
【０００６】
【発明が解決しようとする課題】
しかしながら、上記従来の技術の照明器具にあっては、光源となる蛍光ランプへの給電部品となる端子台あるいは光源ランプ用ソケットの絶縁材料劣化、または安定器を構成する部品材料の劣化にて動作不具合となったときに、部品毎に個々に交換する必要があり、その交換作業に手間が掛かるという問題があった。また、安定器は補修交換用のものにおいて外形寸法などが変更されることも予測される。この場合には単なる取替え交換ができず、その補修交換用の安定器に適合した取付穴を本体に後加工する必要があった。
【０００７】
ところで、照明器具の設置された部屋の雰囲気を変えるため、光源の点灯方式を調光可能型に変更することがある。この場合、安定器のサイズが変更になると共に調光制御用端子台などが別途必要になることがあり、既設の本体や反射板では対応が不可能となる。したがって、照明器具全体を交換する必要があった。
【０００８】
本発明は、上記事由に鑑みてなしたもので、その目的とするところは、照明器具全体を交換すること無く、安定器等、個々の光源への給電部品を一括して交換が可能な照明器具を提供することにある。
【０００９】
【課題を解決するための手段】
上記目的を達成するために、本発明の照明器具にあっては、建物にボルト等の取付具を介して離隔させて取り付けられる複数の取付台と、少なくとも安定器等、光源への給電部品を具備する給電部品台と、同給電部品台を覆うとともに光源からの光を反射させ照明する反射部材とを備えた照明器具において、前記給電部品台を、前記取付台から前記反射部材が取外された状態で交換可能と成したことを特徴としている。具体的には、建物にボルト等の取付具を介して離隔させて取り付けられる複数の取付台と、少なくとも安定器等、光源への給電部品を具備して同取付台へ着脱自在となるよう固定される給電部品台と、同給電部品台を覆うとともに前記取付台へ着脱自在となるよう固定される、光源からの光を反射させ照明する反射部材とを備えた構成としている。
【００１０】
この構成にて、光源からの光を反射させ照明する反射部材、及びそれにて覆われる、少なくとも安定器等、光源への給電部品を具備した給電部品台を、ボルト等の取付具を介して建物に取り付けられた複数の取付台から離脱させて交換できる。
【００１１】
そして、上記給電部品台に光源ランプ用ソケットを具備させ、前記反射部材にてその光源ランプ用ソケットが露出するように給電部品台を覆うことが好ましい。この場合、少なくとも安定器等、光源への給電部品を具備した給電部品台に設けられる、光源からの光を反射させ照明する反射部材から露出するよう配設された光源ランプ用ソケットを含めて、ボルト等の取付具を介して建物に取り付けられた複数の取付台から離脱させて交換される。
【００１２】
また、上記反射部材に、光源ランプ用ソケットを反射部材から露出するよう装着させるのも好ましい。この場合、少なくとも安定器等、光源への給電部品を具備した給電部品台に設けられる、光源からの光を反射させ照明する反射部材から露出するようそれに装着された光源ランプ用ソケットを含めて、ボルト等の取付具を介して建物に取り付けられた複数の取付台から離脱させて交換される。
【００１５】
そして、本発明の照明器具にあっては、上記給電部品台に小開口等の逃げ部を設け、同給電部品台の固定された取付台を、その逃げ部からナット等の取付具を露出させて建物に取り付けることを特徴としている。この場合、取付台の固定された、少なくとも安定器等、光源への給電部品を具備した給電部品台を、その逃げ部となる小開口等からナット等の取付具を露出させ該取付台を介して建物へ取付できる。
【００１６】
更に、本発明の照明器具にあっては、上記取付台は、前記取付具の挿通孔周囲に突出部を有し、同突出部が前記逃げ部に挿入可能となるようその基端形状を略対応させて、同逃げ部に突出部を挿入させることで離間される複数の取付台が相互に位置決め固定されるように成したことを特徴としている。この場合、給電部品台が、その逃げ部に取付具の挿通孔周囲の突出部を挿入されて位置決め固定される。
【００１８】
また、上記給電部品台及び／又は反射部材を、ドライバ等の工具に依らず手動固定可能な固定具を介して取付台へ固定させるのが好ましい。この場合、給電部品台及び／又は反射部材を手動固定可能な固定具を外して取付台から離脱させて交換される。
【００１９】
また、上記前記取付台及び前記給電部品台にそれぞれ貫通孔を穿設するとともに、前記固定具を、その貫通孔に挿通されてその相互を接合させる接合部を具備したラッチとし、該取付台、給電部品台それぞれの貫通孔にその接合部を挿通させラッチを挿入方向軸回りに回動させることにて取付台へ固定するのが好ましい。この場合、給電部品台が、取付台、給電部品台それぞれに穿設された貫通孔に固定具となるラッチの接合部を挿通させ、そのラッチを挿入方向軸回りに回動させることにて給電部品台が固定される。
【００２０】
【発明の実施の形態】
図１乃至図３は、本発明の、請求項１、２、４に対応する第１の実施の形態を示し、図４は、第１の参考例を示し、図５は、請求項１、３、４に対応する第２の実施の形態を示し、図６乃至１１は、第２の参考例を示し、図１２、１３は、請求項１、２、４、５に対応する第３の実施の形態を示している。
【００２１】
［第１の実施の形態］
図１は、本発明の第１の実施の形態の照明器具の概略構造を示す分解斜視図、図２は、同照明器具の取付台を下面側から見た斜視図、図３は、同取付台を下面側から見た平面図である。
【００２２】
この実施の形態の照明器具１は、建物にボルト等の取付具を介して離隔させて取り付けられる複数の取付台２から、反射板７（反射部材）が取外された状態で交換される可能性のある給電部品を交換可能と成したもので、少なくとも安定器４等、光源への給電部品を具備して同取付台２へ着脱自在となるよう固定される給電部品台３と、同給電部品台３を覆うとともに前記取付台２へ着脱自在となるよう固定される、光源からの光を反射させ照明する反射板７とを備えている。
【００２３】
また、該実施の形態の照明器具１においては、前記給電部品台３に光源ランプ用ソケット６を具備させ、前記反射板７にてその光源ランプ用ソケット６が露出するように給電部品台３を覆ってもいる。また、該実施の形態の照明器具１においては、前記給電部品台３に小開口（逃げ部）３２を設け、同小開口３２からナット１２等の取付具を露出させて建物に取り付けるとともに、前記取付台２は、前記取付具の挿通孔２２周囲に突出部２５を有し、同突出部２５が前記小開口３２に挿入可能となるようその基端形状を略対応させてもいる。また、該実施の形態の照明器具１においては、前記給電部品台３及びは反射板７を、ドライバ等の工具に依らず手動固定可能なツマミネジ９（固定具）を介して取付台２へ固定させてもいる。
【００２４】
この照明器具１は、従来の技術の項にて説明したものと同じく、天井面が建物の躯体天面に懸架される板状の天井材にて形成された天井に設置されるもので、図１に示すように、２つの取付台２、２と、給電部品台３と、反射部材に相当する反射板７とを備えている。なお、上記天井材には、同図に示す如く後述する反射板７の箱部の外形より僅かに大きい四角状の開口が形成され、この四角状の開口に照明器具１が埋込設置される。
【００２５】
取付台２は、この照明器具１を天井へ固定するための例えば鋼板材料にて形成された介在部品で、この場合、上記開口の長手方向に向けて離隔させ設置された２本の設置ボルト１１、１１へ２つのものが取り付けられて、後述するツマミネジ９により給電部品台３及び反射板７を着脱自在に固定させる。この取付台２は、上記開口の短手方向と略等しい幅で所定高さ立ち上げて外側に屈曲形成された略逆Ｕ字状で、Ｕ字の開口端が高さ方向の取り付けの位置決め片２４となる。そして、図２、３に詳しく示すように、Ｕ字の連結部には、中心に給電部品台３をねじ止めする雌ネジ部２１、及び設置ボルト１１を挿通させる挿通孔２２が設けられ、後述する反射板７をねじ止めする雌ネジ部２３，２３がこれらを挟むよう両側に設けられている。
【００２６】
挿通孔２２には、後述する給電部品台３の小開口３２の内径より僅かに小さい寸法に湾曲させ絞り加工形成された突出部２５がその周囲に設けられおり、給電部品台３に取付台２が容易に位置決め固定し易いようにしてある。したがって、設置ボルト１１に螺着されるナット１２は、突出部２５上面が接合面となるようにして装着され、小開口３２周縁がナット１２にて押さえ込まれて固定されることも無い。
【００２７】
給電部品台３は、鋼板材料にて形成された略板状の長尺部材で、光源となる蛍光ランプ１０への給電部品の安定器４、端子台５等の配設される。この給電部品台３は、蛍光ランプ１０、１０の口金ピン（図示せず）の挿入される光源ランプ用ソケット６、６が、その両端部にそれぞれ等間隔をもって固着されている。また、平板部となる、光源ランプ用ソケット６、６より内側のその略中央位置に、この給電部品台３を取付台２に固定させる貫通孔３１、３１が上記雌ネジ部２１と対応する箇所に穿設され、その貫通孔３１、３１よりさらに内側の中央位置には、設置ボルト１１に螺着されるナット１２を露出させる逃げ部となる小開口３２、３２が穿設されている。この場合、この小開口３２、３２間の適宜箇所に安定器４、端子台５がねじ固定されており、取付台２への給電部品台３の取り付けを設置ボルト１１の外側で行うように構成されており、安定器４等による荷重がほぼ均等に支持され固定されるようになっている。なお、長尺部材である給電部品台３の長さの短いときには、上記逃げ部を小開口以外に、例えば切欠とすることとなる。
【００２８】
この給電部品台３は、天井の四角状の開口の幅より細幅の板材両縁を折り曲げて補強されており、その開口との間の隙間から照明器具１の電源用の外部電線となる電灯線が端子台５へ容易に接続される。
【００２９】
反射板７は、鋼板材料にて形成された略板状の長尺部材で、この場合、蛍光ランプ１０、１０による光を反射させるもので、図１に示すように、略有底箱状の中央に反射効率向上と、この反射板７背面側の安定器４及び端子台５を収容したり外部電線となる端子台５へ接続される電灯線及び内部電線を収容する収容部とを兼ねた反射突部が連設され形成されている。この反射板７は、底部に、前述したツマミネジ９を介して取付台２に固定させる貫通孔７２、及び両端４隅に上記光源ランプ用ソケット６、６をそれから露出させる露出孔７３が穿設されている。
【００３０】
上記の照明器具１は、まず、取付台２、２をナット１２、１２を介して建物側に固定されている設置ボルト１１、１１に固定させる。次いで、その小開口３２から設置ボルト１１、１１、ナット１２、１２を露出させ、給電部品台３を蝶ボルト８を用いて取付台２、２に取り付ける。その後、その４隅の露出孔７３から光源ランプ用ソケット６、６を露出させるようにして反射板７を給電部品台３に配置し、給電部品台３越しに取付台２、２のそれぞれの雌ネジ部２３にツマミネジ９を介して反射板７を固定させ、その後、その光源ランプ用ソケット６、６に光源となる２本の蛍光ランプ１０，１０を取り付けることによって照明器具の設置が完了する。
【００３１】
上記の照明器具１においては、安定器４、端子台５らを交換する際には、まず、反射板７を、取付具であるナット１２を介して建物に取り付けられた取付台２、２から離脱させた後、反射板７にて覆われる、安定器４、端子台５の光源への給電部品を具備した給電部品台３を同様にその取付台２、２から離脱させて交換できるのである。
【００３２】
したがって、以上説明した照明器具１によると、蛍光ランプ１０からの光を反射させ照明する反射板７、及びそれにて覆われる、少なくとも安定器４等、光源への給電部品を具備した給電部品台３を、ナット１２等の取付具を介して建物に取り付けられた複数の取付台２から離脱させて交換できるので、安定器４等、個々の光源への給電部品を一括して交換できる。
【００３３】
そして、少なくとも安定器４等、蛍光ランプ１０への給電部品を具備した給電部品台３に設けられる、反射板７から露出するよう配設された光源ランプ用ソケット６、６を含めて、設置ボルト１１等の取付具を介して建物に取り付けられた複数の取付台２から離脱させて交換されるので、より高い作業性にて給電部品を一括交換させることが出来る。また、給電部品台３が、その小開口３２に取付具の挿通孔２２周囲の突出部２５を挿入されて位置決め固定されるので、取付台２、２相互が給電部品台３へ横方向のずれを生ずることな固定され、以て、固定具となるツマミネジ９による給電部品台３固定の作業性が良い。また、給電部品台３及び反射板７を手動固定可能なツマミネジ９を外して取付台２、２から離脱させて交換されるので、容易に取り外すことができる。
【００３４】
また、この実施の形態の照明器具１においては、前記給電部品台３に設けられている小開口３２と、挿通孔２２とを位置あわせをして予め固定させ、同給電部品台３の固定された取付台２を、その小開口３２からナット１２等の取付具を露出させて建物に取り付けても良い。この場合、取付台２、２の固定された、前述の給電部品台３を、その小開口３２からナット１２等の取付具を露出させ取付台２、２を介して建物へ取付できるので、高所作業の回数を減少させることとなって取付の作業性をより向上できる。
【００３５】
［第１の参考例］図４は、第１の参考例の照明器具の概略構造を示す分解斜視図である。
【００３６】
この参考例の照明器具は、光源ランプ用ソケット、給電部品台を設ける構成のみが第１の実施の形態と異なるもので、他の構成部材は第１の実施の形態のものと同一で、該参考例の照明器具１は、前記反射板７に、光源ランプ用ソケット６を反射板７から露出するよう装着させている。また、該参考例の照明器具１は、給電部品台３を、前記取付台２に代えて前記反射板７へ着脱自在となるよう固定させてもいる。
【００３７】
このものの給電部品台３は、建物側に設置ボルト１１、１１を用いて固定されている取付台２、２間に配設可能な、第１の実施の形態のものより短い長さを有した長尺部材で、少なくとも安定器４及び端子台５の収容可能な幅及び所定高さをもって立ち下げ、外側に屈曲形成された略逆Ｕ字状で、このＵ字の開口端には、反射板７への取付部となるよう所定箇所に雌ネジ部３４が設けられている。この給電部品台３の平板部には、外部電線となる電灯線を挿通させて端子台５へ接続させる貫通孔３３が穿設され、また、この安定器４においては、内部電線１３にて接続された４つの光源ランプ用ソケット６を、反射板７に設けられている上記露出孔７３に例えば係止手段を介して係止させ、反射板７背面から前面側に向け装着させるようになっている。（光源ランプ用ソケットの装着状態は図示せず）なお、上記４つの光源ランプ用ソケット６は、このようにして反射板７へ突出させ露出させる以外に、勿論、蛍光ランプ１０両端の口金との接合面のみ露出させて装着させても良い。
【００３８】
上記の照明器具１は、まず、取付台２、２をナット１２、１２を介して建物側に固定されている設置ボルト１１、１１に固定させる。次いで、４隅の露出孔７３から光源ランプ用ソケット６、６を露出させるようにして仮固定されている給電部品台３の端子台５へ外部電線の電灯線（図示せず）を接続させ、その後、その給電部品台３をツマミネジ９を用いて反射板７へ本固定させる。そして、反射板７を取付台２、２のそれぞれの雌ネジ部２３にツマミネジ９を介して反射板７を固定させた後、その光源ランプ用ソケット６、６に光源となる２本の蛍光ランプ１０，１０を取り付けることによって照明器具の設置が完了する。
【００３９】
したがって、以上説明した照明器具１によると、蛍光ランプ１０からの光を反射させ照明する反射板７、及びそれにて覆われ且つ固定された、少なくとも安定器４等、光源への給電部品を具備した給電部品台３を、設置ボルト１１等の取付具を介して建物に取り付けられた複数の取付台２から離脱させて交換できるので、安定器４等、個々の光源への給電部品を一括して交換でき、さらに、反射板７から露出するようそれに装着された光源ランプ用ソケット６を含めて取付台２から離脱させて交換されるので、より高い作業性にて給電部品を一括交換させることが出来る。
【００４０】
［第２の実施の形態］図５は、第２の実施の形態の照明器具の概略構造を示す分解斜視図である。この実施の形態の照明器具は、上記第１の参考例のものにおいて、小開口３２、３２から設置ボルト１１、１１、ナット１２、１２を露出させ、給電部品台３を蝶ボルト８を用いて取付台２、２に取り付けるように構成したものである。
【００４１】
［第２の参考例］図６は、第２の参考例の照明器具の概略構造を示す分解斜視図、図７は、同照明器具の取付台を下面側から見た斜視図、図８は、同取付台を下面側から見た平面図、図９は、同照明器具の反射部材の説明図、図１０は、同照明器具の取付台の説明図である。図１１は、同参考例の照明器具に使用する端部カバーの斜視図である。
【００４２】
この参考例の照明器具は、光源ランプ用ソケットを設ける構成のみが第１の参考例と異なるもので、他の構成部材は第１の参考例のものと同一で、該参考例の照明器具１は、前記取付台２に光源ランプ用ソケット６を具備させ、前記反射板７にてその光源ランプ用ソケット６が露出するように前記給電部品台３を覆っている。また、該参考例の照明器具１は、取付台２及び前記反射板７を、複数の外形寸法の異なる蛍光ランプ１０を取り付け可能となるよう光源ランプ用ソケット装着用の係止孔２６、露出孔７３を設けて成り、該反射板７に、その露出孔部分とともに蛍光ランプ１０及び光源ランプ用ソケット６の接合部を覆う端部カバー１４を装着させている。
【００４３】
このものの給電部品台３は、図６に示したように、建物側に設置ボルト１１、１１を用いて固定されている取付台２、２間に配設可能な、第１の参考例にて示したものと同じものであり、また、この安定器４においては、取付台２に、内部電線１３にて接続された４つの光源ランプ用ソケット６を係止手段を介して係止させている。この場合、取付台２は、図７、８に示すように、照明器具１の長手方向となる、反射板７取付用の雌ネジ部２３、２３の線上に、２つの角状の光源ランプ用ソケット６係止用の係止孔２６、２６が、設置ボルト１１を挿通させる挿通孔２２を挟むようにして大略１５乃至３０ｍｍ程度離隔され列設されている。
【００４４】
反射板７には、この場合、上記係止孔２６と対応する位置に、図９（ａ）のものは、上記係止孔２６、２６と対応するよう光源ランプ用ソケット６を反射板７表側に露出させる露出孔７３、７３が列設され、また、図９（ｂ）のものは光源ランプ用ソケット６を反射板７表側に露出させる上記係止孔２６、２６両方にまたがる大きさの露出孔７３が設けられている。
【００４５】
なお、上記露出孔７３には、図１０に詳しく示すような、蛍光ランプ１０の両端の使用しない側の露出孔７３部分を隠蔽させるための端部カバー１４を装着することで外観の美観をより向上できる。この端部カバー１４は、断面略Ｕ字状の合成樹脂部品で、その上端に露出孔７３に嵌合する係止片１４ａ、１４ａが設けてあり、側面１４ｂ、１４ｃの開口形状をそれぞれ大きさを変えて形成し、反射板７への係止方向を変えて、管径の異なる２種類の蛍光ランプ１０の端部を美観良く隠蔽することができるようになっている。
【００４６】
すなわち、このものにおいては、図１１（ａ）、（ｂ）に示すように、２つの係止孔２６を適宜選択し光源ランプ用ソケット６の取付可能にすることで、長さの異なるランプを装着することができるようになっており、また、管径の異なる蛍光ランプ１０へも端部カバー１４の係止方向を反転させることで容易に対応することができる。なお、上記の如く係止孔２６を２つ設ける以外に、取付台２の挿通孔２２及び雌ネジ部２３から係止孔２６までのピッチ間隔を１０乃至１５ｍｍの寸法差で設け、取付台２の設置ボルト１１への固定を反転させても初期状態と取付台反転後のランプソケットの間隔の差を２０乃至３０ｍｍ程度得られ、最近主流となっている蛍光ランプ１０のランプ長１１９８ｍｍから同１１４９ｍｍの蛍光ランプ１０への変更対応が容易に実現できる。
【００４７】
上記の照明器具１は、まず、給電部品台３の安定器４と内部電線１３を介して接続されている光源ランプ用ソケット６、６が予め係止固定されている取付台２、２をナット１２、１２を介して建物側に固定されている設置ボルト１１、１１に固定させる。次いで、給電部品台３の端子台５へ外部電線の電灯線（図示せず）を接続させた後に、その給電部品台３をツマミネジ９を用いて反射板７へ本固定させる。その後、反射板７を取付台２、２のそれぞれの雌ネジ部２３にツマミネジ９を介して反射板７を固定させ、その後、その光源ランプ用ソケット６、６に光源となる２本の蛍光ランプ１０，１０を取り付けることによって照明器具の設置が完了する。
【００４８】
したがって、以上説明した照明器具１によると、少なくとも安定器４等、光源への給電部品を具備した給電部品台３に設けられる、反射板７から露出するよう配設された光源ランプ用ソケット６を含めて、設置ボルト１１等の取付具を介して建物に取り付けられた複数の取付台２から離脱させて交換できるので、安定器４等、個々の光源への給電部品を一括して交換でき、しかも、取付台２に外形寸法の異なる蛍光ランプ１０を取り付て、端部カバー１４にて蛍光ランプ１０及び光源ランプ用ソケット６の接合部となる光源端部の光源ランプ用ソケット装着部を覆うことができるので、異なる外形形状の蛍光ランプ１０への変更対応も容易となる。
【００４９】
［第３の実施の形態］図１２は、第３の実施の形態の照明器具の構造を示す分解斜視図、図１３は、同実施の形態の照明器具で用いるラッチの構造を示す斜視図である。
【００５０】
この実施の形態の照明器具は、固定具に係る構成のみが第１の実施の形態と異なるもので、他の構成部材は第１の実施の形態のものと同一で、第１の実施の形態の照明器具の構造と同様の部分については、説明を省略することとし、本実施の形態の特徴となる部分について説明することとする。
【００５１】
この実施の形態の照明器具１は、前記取付台２及び前記給電部品台３にそれぞれ貫通孔２１（第１の実施形態では雌ネジ部２１であった）、３１を穿設するとともに、前記固定具を、その貫通孔２１、３１に挿通されてその相互を接合させる接合部１５ｄを具備したラッチ１５とし、該取付台２、給電部品台３それぞれの貫通孔２１、３１にその接合部１５ｄを挿通させラッチ１５を挿入方向軸回りに回動させることにて取付台２へ固定されるようにしている。
【００５２】
このものの取付台２には、そのＵ字の連結部に給電部品台３を取り付けるための、両端に半円形状のアールを備えた長穴状の貫通孔２１が穿設される一方、給電部品台３の表面には、その貫通孔２１に対応する位置に、貫通孔３１が穿設されており、該貫通孔２１、３１が、取付台２、２への取付箇所に給電部品台３を当接させた状態で、その長手方向が略一致するように構成されている。また、ラッチ１５は、例えば金属製で、図１３に示すように、略円盤状のベース部１５ａと、ベース部１５ａの一方の面に突設された略直方体状のツマミ部１５ｂと、ベース部１５ａの他方の面に突設された円柱部１５ｃと、円柱部１５ｃの先端部に形成された、貫通孔２１、３１より僅かに小さい角棒状の接合部１５ｄとを有している。
【００５３】
接合部１５ｄは、その長さ方向がベース部１５ａに設けられたツマミ部１５ｂと略平行となるように形成されており、接合部１５ｄが貫通孔２１、３１に挿通させやすいよう構成されている。また、円柱部１５ｃも、貫通孔２１、３１に挿通可能な外形をもって形成され、さらに、ベース部１５ａと接合部１５ｄとの間の距離が、取付台２のＵ字の連結部の厚さ寸法及び給電部品台３の平板部の厚さ寸法とを足した寸法より、僅かに大きい寸法となるように設定されている。
【００５４】
上記の照明器具においては、取付台２、２をナット１２、１２を介して建物側に固定されている設置ボルト１１、１１に固定させた後、その小開口３２から設置ボルト１１、１１、ナット１２、１２を露出させ、給電部品台３をラッチ１５を用いて取付台２、２に取り付ける。その後、その４隅の露出孔７３から光源ランプ用ソケット６、６を露出させるようにして反射板７を給電部品台３に配置し、給電部品台３越しに取付台２、２のそれぞれの雌ネジ部２３にツマミネジ９を介して反射板７を固定させ、その後、その光源ランプ用ソケット６、６に光源となる２本の蛍光ランプ１０，１０を取り付けることによって照明器具の設置が完了する。
【００５５】
また、ラッチ１５の操作は、まず、給電部品台３の平板部の裏側を取付台２のＵ字連結部に当接させて、取付台２の貫通孔２１と給電部品台３の貫通孔３１との位置を合わせ、貫通孔２１、３１に接合部１５ｄを挿入して、ラッチ１５のベース部１５ａを給電部品台３を押圧するよう当接させた状態で、ラッチ１５を９０度回転させて固定する。これにより、接合部１５ｄが取付台２に係止されて、給電部品台３を取付台２に簡単な操作にて取り付けることができる。
【００５６】
したがって、以上説明した照明器具によると、給電部品台３が、取付台２、給電部品台３それぞれに穿設された貫通孔２１、３１に固定具となるラッチ１５の接合部１５ｄを挿通させ、そのラッチ１５を挿入方向軸回りに回動させることにて給電部品台３が固定されるので、給電部品台３を、固定具となる手動固定可能なラッチ１５の簡単な操作にて固定でき、以て、作業性の更に優れたものとなる。
【００５７】
なお、本発明は、上記による構成以外に、例えば、図１４（ａ）に示すように、第１の実施の形態の反射部材を、富士型と呼ばれている断面略く字状の露出型の反射板１６とした構成等、各種の構成のものを含むことは言うまでもない。あるいは、図１４（ｂ）に示すように、第１の参考例の、反射板１７から露出するよう取り付けられた光源ランプ用ソケット６と、給電部品台３に固定された安定器４とを内部電線１３を介してコネクタ１８、１８を介して着脱自在に接続させることもできる。
【００５８】
【発明の効果】
本発明は、上述の実施態様の如く実施されて、請求項１記載の照明器具にあっては、光源からの光を反射させ照明する反射部材、及びそれにて覆われる、少なくとも安定器等、光源への給電部品を具備した給電部品台を、ボルト等の取付具を介して建物に取り付けられた複数の取付台から離脱させて交換できるので、安定器等、個々の光源への給電部品を一括して交換できる。しかも、取付台の固定された、少なくとも安定器等、光源への給電部品を具備した給電部品台を、その逃げ部となる小開口等からナット等の取付具を露出させ該取付台を介して建物へ取付できるので、高所作業の回数を減少させることとなって取付作業性をより向上できる。更に、給電部品台が、その逃げ部に取付具の挿通孔周囲の突出部を挿入されて位置決め固定されるので、取付台相互が給電部品台へ横方向のずれを生ずることなく固定され、以て、固定具による給電部品台固定の作業性が良い。
【００５９】
また、請求項２記載の照明器具にあっては、少なくとも安定器等、光源への給電部品を具備した給電部品台に設けられる、光源からの光を反射させ照明する反射部材から露出するよう配設された光源ランプ用ソケットを含めて、ボルト等の取付具を介して建物に取り付けられた複数の取付台から離脱させて交換されるので、より高い作業性にて給電部品を一括交換させることが出来る。
【００６０】
また、請求項３記載の照明器具にあっては、少なくとも安定器等、光源への給電部品を具備した給電部品台に設けられる、光源からの光を反射させ照明する反射部材から露出するようそれに装着された光源ランプ用ソケット及び、ボルト等の取付具を介して建物に取り付けられた複数の取付台から離脱させて交換されるので、より高い作業性にて給電部品を一括交換させることが出来る。
【００６６】
また、請求項４記載の照明器具にあっては、給電部品台及び／又は反射部材を手動固定可能な固定具を外して取付台から離脱させて交換されるので、容易に取り外すことができる。
【００６７】
また、請求項５記載の照明器具にあっては、給電部品台が、取付台、給電部品台それぞれに穿設された貫通孔に固定具となるラッチの接合部を挿通させ、そのラッチを挿入方向軸回りに回動させることにて給電部品台が固定されるので、給電部品台を、固定具となる手動固定可能なラッチの簡単な操作にて固定でき、以て、作業性の更に優れたものとなる。
【図面の簡単な説明】
【図１】  本発明の第１の実施の形態の照明器具の概略構造を示す分解斜視図である。
【図２】  同照明器具の取付台を下面側から見た斜視図である。
【図３】  同取付台を下面側から見た平面図である。
【図４】  第１の参考例の照明器具の概略構造を示す分解斜視図である。
【図５】  第２の実施の形態の照明器具の概略構造を示す分解斜視図である。
【図６】  第２の参考例の照明器具の概略構造を示す分解斜視図である。
【図７】  同照明器具の取付台を下面側から見た斜視図である。
【図８】  同取付台を下面側から見た平面図である。
【図９】  同照明器具の反射部材の説明図である。
【図１０】  同照明器具の取付台の説明図である。
【図１１】  同参考例の照明器具に使用する端部カバーの斜視図である。
【図１２】  第３の実施の形態の照明器具の構造を示す分解斜視図である。
【図１３】  同実施の形態の照明器具で用いるラッチの構造を示す斜視図である。
【図１４】  本発明の照明器具の別実施例及び参考例の構造を示す分解斜視図である。
【図１５】  従来の照明器具の構造を示す分解斜視図である。
【図１６】  他の従来の照明器具の構造を示す分解斜視図である。
【符号の説明】
１    照明器具
２    取付台
２２  挿通孔
２５  突出部
２６  係止孔
３    給電部品台
３２  小開口（逃げ部）
３５  貫通孔
４    安定器
６    光源ランプ用ソケット
７    反射板（反射部材）
７３  露出孔
９    ツマミネジ（固定具）
１０  蛍光ランプ（光源）
１１  設置ボルト（取付具）
１２  ナット（取付具）
１０  端部カバー
１５  ラッチ
１５ｄ  接合部
【図１】
0003988395.tif 000002
【図２】
0003988395.tif 000003
【図３】
0003988395.tif 000004
【図４】
0003988395.tif 000005
【図５】
0003988395.tif 000006
【図６】
0003988395.tif 000007
【図７】
0003988395.tif 000008
【図８】
0003988395.tif 000009
【図９】
0003988395.tif 000010
【図１０】
0003988395.tif 000011
【図１１】
0003988395.tif 000012
【図１２】
0003988395.tif 000013
【図１３】
0003988395.tif 000014
【図１４】
0003988395.tif 000015
【図１５】
0003988395.tif 000016
【図１６】
0003988395.tif 000017